(57)【要約】【課題】注射筒への注射情報の取り付けを確実に行うとともに、注射器の操作に何ら干渉せず、注射筒内の薬液の投与時には注射筒内の薬液の減じる量を視認して薬液の投与速度を確認することが可能な注射ラベルおよびその使用方法の提供。【解決手段】注射器１０の注射筒１１に貼り付け可能であり、注射筒１１からはみ出さない大きさに形成された貼付部１ａと、注射筒１１内の薬液に関する注射情報が表示される表示部１ｂと、貼付部１ａと表示部１ｂとを分割するためのミシン目１ｃとから構成されるラベルシート１を含む注射ラベルであり、表示部１ｂに注射筒１１内の薬液に関する注射情報が表示された状態でラベルシート１の貼付部１ａを注射筒１１に貼り付け、注射筒１１内の薬液の投与時には、注射筒１１上に貼付部１ａを残したまま、表示部１ｂをミシン目１ｃから分割し、除去する。【選択図】図２
2013169419.tif 000002
【特許請求の範囲】
【請求項１】
注射器の注射筒に貼り付け可能であり、前記注射筒からはみ出さない大きさに形成された貼付部と、
前記注射筒内の薬液に関する注射情報が表示される表示部と、
前記貼付部と前記表示部とを分割するためのミシン目と
から構成されるラベルシートを含む注射ラベル。
【請求項２】
前記貼付部の端辺から前記ミシン目までの幅が、前記注射筒の直径以下である請求項１記載の注射ラベル。
【請求項３】
前記ラベルシートの貼り付け面側に設けられた粘着層と、
前記粘着層を介して設けられた剥離紙とを有し、
前記剥離紙は、前記ミシン目に対応する位置に前記ミシン目よりも分割されやすい分割部を有する請求項１または２に記載の注射ラベル。
【請求項４】
前記ラベルシートは、前記剥離紙上に複数配列されたものである請求項３記載の注射ラベル。
【請求項５】
前記表示部の前記粘着層は、粘着効果を弱める処理が施されたものである請求項３または４に記載の注射ラベル。
【請求項６】
前記貼付部が透明または半透明である請求項１から５のいずれかに記載の注射ラベル。
【請求項７】
前記表示部は下地色が印刷されたものである請求項６記載の注射ラベル。
【請求項８】
注射器の注射筒に貼り付け可能であり、前記注射筒からはみ出さない大きさに形成された貼付部と、前記注射筒内の薬液に関する注射情報が表示される表示部と、前記貼付部と前記表示部とを分割するためのミシン目とから構成されるラベルシートを、前記貼付部により前記注射筒に貼り付けること、
前記注射筒上に前記貼付部を残したまま、前記表示部を前記ミシン目から分割し、除去すること
を含む注射ラベルの使用方法。
【発明の詳細な説明】
【技術分野】
【０００１】
本発明は、注射器の注射筒に貼り付けて使用される注射ラベルおよびその使用方法に関する。
【背景技術】
【０００２】
従来、注射器の注射筒内の薬液を患者へ投与する際、患者氏名や薬品名などの注射情報を確認し、誤投与を防ぐために、フェルトペンで注射筒に注射情報の一部を手書きしたり、注射情報が記載されたラベルを輪ゴムやセロファンテープで注射筒に括り付けたりしている。しかしながら、ラベルを使用する場合には、注射筒への取り付けが不安定であり、誤投与を引き起こす可能性があるため、作業手順を厳格化することで対応している。
【０００３】
また、誤用を防止するラベルとして、例えば特許文献１には、薬液情報が表示される第一領域と、第一領域の表面に表示した薬液情報を含む薬液情報が表示される第二領域とが分割可能に構成された薬液容器用分割ラベルが開示されている。この薬液容器用分割ラベルは第一領域と第二領域とが一体の状態で薬液用容器に貼り付けされ、第二領域は容器内の薬液が取り出される際に切り離されて注射筒に貼り付けられる。特許文献２にも同様の本体部（第一領域）と確認部（第２領域）とに分割可能な誤用防止ラベルが開示されている。
【先行技術文献】
【特許文献】
【０００４】
【特許文献１】登録実用新案第３１６３３７７号公報
【特許文献２】特開２００５−９１５０６号公報
【発明の概要】
【発明が解決しようとする課題】
【０００５】
ところで、特許文献１，２に記載のラベルは、第二領域を切り離して注射筒に貼り付けるものであるが、この第二領域は薬液情報が表示されるため、ある程度大きく形成されている。そのため、注射器の操作時には、注射筒に貼り付けられたラベルの第二領域が干渉して邪魔となる。また、注射筒内の薬液を投与する際、投与中の注射筒内の薬液の状態を視認して、薬液の投与速度を確認することも難しくなる。
【０００６】
そこで、本発明においては、注射筒への注射情報の取り付けを確実に行うとともに、注射器の操作に何ら干渉せず、注射筒内の薬液の投与時には注射筒内の薬液の減じる量を視認して薬液の投与速度を確認することが可能な注射ラベルおよびその使用方法を提供する。
【課題を解決するための手段】
【０００７】
本発明の注射ラベルは、注射器の注射筒に貼り付け可能であり、注射筒からはみ出さない大きさに形成された貼付部と、注射筒内の薬液に関する注射情報が表示される表示部と、貼付部と表示部とを分割するためのミシン目とから構成されるラベルシートを含むものである。
【０００８】
本発明の注射ラベルによれば、表示部に注射筒内の薬液に関する注射情報が表示された状態でラベルシートの貼付部を注射筒に貼り付けることで、注射筒への注射情報の貼り付けを確実に行うことができる。また、注射筒内の薬液の投与時には、注射筒上に貼付部を残したまま、表示部をミシン目から分割し、除去することにより、注射筒上に残された貼付部以外の部分から注射筒内の薬液の減じる量を視認することが可能となる。
【０００９】
ここで、貼付部の端辺からミシン目までの幅は、注射筒の直径以下であることが望ましい。これにより、貼付部を注射筒の表面に沿って貼り付けた際に、注射筒のどの方向からみても注射筒内が完全に見えなくなることがないため、注射筒内の薬液の減じる量をより視認しやすくなる。
【００１０】
また、本発明の注射ラベルは、ラベルシートの貼り付け面側に設けられた粘着層と、粘着層を介して設けられた剥離紙とを有し、剥離紙は、ミシン目に対応する位置にミシン目よりも分割されやすい分割部を有することが望ましい。これにより、ラベルシートを剥離紙から剥離して使用する際、貼付部と表示部との間のミシン目から分割させることなく、貼付部の剥離紙のみを剥離紙の分割部より分割して剥離し、貼付部の粘着層を露出させて、注射筒に貼り付けることができる。
【００１１】
また、本発明の注射ラベルは、ラベルシートが、剥離紙上に複数配列されたものとすることができる。これにより、印刷機を用いて複数のラベルシートの表示部上へ順次、注射情報を印刷し、使用する際は、この注射情報を印刷したラベルシートを、剥離紙の分割部より貼付部の剥離紙のみを分割して剥離し、貼付部の粘着層を露出させて、注射筒に貼り付けることができる。
【００１２】
また、表示部の粘着層は、粘着効果を弱める処理が施されたものであることが望ましい。これにより、ラベルシートの貼付部および表示部の両方に粘着層が設けられ、粘着層を介して剥離紙が設けられ、剥離紙を剥離して貼付部を注射筒に貼り付ける場合に、表示部までもが注射筒に貼り付いてしまうことが防止されるので、注射筒内の薬液の投与時には、注射筒上に貼付部を残したまま、表示部をミシン目から分割し、除去することが可能となる。
【００１３】
また、貼付部は、透明または半透明であることが望ましい。これにより、注射筒内の薬液の投与時に、注射筒上に残された貼付部以外の部分だけでなく、貼付部を透視して注射筒内の薬液の減じる量を視認することが可能となる。
【００１４】
また、表示部は下地色が印刷されたものであることが望ましい。これにより、貼付部とともに表示部を透明または半透明な素材により形成した場合に、表示部に下地色が印刷されていることによって、表示部に表示される注射情報が見やすくなる。
【発明の効果】
【００１５】
（１）注射器の注射筒に貼り付け可能であり、注射筒からはみ出さない大きさに形成された貼付部と、注射筒内の薬液に関する注射情報が表示される表示部と、貼付部と表示部とを分割するためのミシン目とから構成されるラベルシートを含む注射ラベルによれば、注射筒への注射情報の貼り付けを確実に行うことができるとともに、注射筒内の薬液の投与時には、注射筒内の薬液の減じる量を視認して薬液の投与速度を確認することが可能となる。
【００１６】
（２）貼付部の端辺からミシン目までの幅は、注射筒の直径以下であることにより、注射筒内の薬液の減じる量をより視認しやすくなり、薬液の投与速度を確認することが容易となる。
【００１７】
（３）ラベルシートの貼り付け面側に設けられた粘着層と、粘着層を介して設けられた剥離紙とを有し、剥離紙が、ミシン目に対応する位置にミシン目よりも分割されやすい分割部を有することにより、ラベルシートを剥離紙から剥離して使用する際、貼付部と表示部との間のミシン目から分割させることなく、貼付部の剥離紙のみを剥離紙の分割部より容易に分割して剥離することができ、注射筒への貼り付け作業を容易に行うことが可能となる。
【００１８】
（４）ラベルシートが剥離紙上に複数配列されたものとすることにより、印刷機を用いて複数のラベルシートの表示部上へ順次、注射情報を印刷し、使用する際は、この注射情報を印刷したラベルシートを、剥離紙の分割部より貼付部の剥離紙のみを容易に分割して剥離することができ、注射筒への貼り付け作業を連続的かつ容易に行うことが可能となる。
【００１９】
（５）表示部の粘着層が粘着効果を弱める処理が施されたものであることにより、剥離紙を剥離して貼付部を注射筒に貼り付ける場合に、表示部までもが注射筒に貼り付いてしまうことが防止されるので、注射筒内の薬液の投与時には、注射筒上に貼付部を残したまま、表示部をミシン目から容易に分割し、除去することが可能となる。
【００２０】
（６）貼付部が透明または半透明であることにより、注射筒内の薬液の投与時に、注射筒上に残された貼付部以外の部分だけでなく、貼付部を透視して注射筒内の薬液の減じる量を視認することが可能となり、注射筒内の視認性が向上する。
【００２１】
（７）表示部は下地色が印刷されたものであることにより、貼付部とともに表示部を透明または半透明な素材により形成した場合に、表示部に下地色が印刷されていることによって、表示部に表示される注射情報が見やすくなる。
【図面の簡単な説明】
【００２２】
【図１】本発明の実施の形態における注射ラベルを示す図であって、（ａ）は平面図、（ｂ）は右側面図、（ｃ）は背面図である。
【図２】図１の注射ラベルの使用方法を示す説明図である。
【図３】図１の注射ラベルの使用手順の一例を示す説明図である。
【図４】図１の注射ラベルの使用手順の別の例を示す説明図である。
【発明を実施するための形態】
【００２３】
図１は本発明の実施の形態における注射ラベルを示す図であって、（ａ）は平面図、（ｂ）は右側面図、（ｃ）は背面図、図２は図１の注射ラベルの使用方法を示す説明図である。
【００２４】
図１において、本発明の実施の形態における注射ラベルは、複数のラベルシート１が剥離紙２上に配列されたものである。各ラベルシート１は、図２に示すように注射器１０の注射筒１１に貼り付け可能な貼付部１ａと、注射筒１１内の薬液に関する注射情報が表示される表示部１ｂとから構成されている。また、貼付部１ａと表示部１ｂとの間には、貼付部１ａと表示部１ｂとを分割するためのミシン目１ｃが設けられている。
【００２５】
貼付部１ａの端辺（図１の上端辺）からミシン目１ｃまでの幅Ｂは、注射筒１１の直径Ｄ以下とし、貼付部１ａは、注射筒１１からはみ出さない大きさに形成されている。表示部１ｂは、注射筒１１内の薬液に関する注射情報（例えば、患者氏名、年齢、病棟名、病室名、患者ＩＤ、薬品名（混合注射剤の場合は、それぞれの薬品名、規格、量）、投与量、投与速度、投与方法、その他注意事項や、以上の情報を病院内電子情報ネットワーク（電子カルテ等）で照合するためのバーコードなど）を表示可能な大きさに形成されている。注射情報は、表示部１ｂにプリンタ等の印刷機により印刷したり、手書きしたりすることにより、表示される。
【００２６】
また、ラベルシート１の貼り付け面側には粘着層３が設けられている。剥離紙２は、この粘着層３を介してラベルシート１に設けられている。剥離紙２は、ミシン目１ｃに対応する位置にミシン目１ｃよりも分割されやすい分割部２ａが形成されている。分割部２ａのミシン目１ｃに対応する位置とは、ミシン目１ｃと一致する位置または近傍位置をいう。分割部２ａは、ミシン目や、予め一部または全部分割したもの等とすることができる。また、剥離紙２には、ラベルシート１間にもミシン目２ｂが形成されている。
【００２７】
上記構成の注射ラベルは、例えば、図３に示すように、各ラベルシート１の上部および下方において、剥離紙２の分割部２ａを切り離して使用する。前述のように、分割部２ａは各ラベルシート１のミシン目１ｃよりも分割されやすく形成されているため、各ラベルシート１は貼付部１ａと表示部１ｂとが分割されることなく、貼付部１ａと表示部１ｂとが一体となったままである。
【００２８】
これにより、貼付部１ａの粘着層３が露出するので、図２（ａ）に示すように、ラベルシート１を貼付部１ａにより注射筒１１に貼り付けることで、この貼付部１ａと一体となった表示部１ｂにより注射筒１１内の薬液に関する注射情報を表示することができる。そして、注射筒１１内の薬液の投与時には、図２（ｂ）に示すように、注射筒１１上に貼付部１ａを残したまま、表示部１ｂをミシン目１ｃから分割し、除去する。
【００２９】
これにより、注射筒１１上に残された貼付部１ａ以外の部分から注射筒１１内の薬液の減じる量を視認して、薬液の投与速度を確認することが可能となる。特に、この注射ラベルでは、貼付部１ａの端辺からミシン目１ｃまでの幅Ｂが、注射筒１１の直径以下であるため、貼付部１ａを円筒状の注射筒１１の表面に沿って貼り付けた際に、注射筒１１のどの方向からみても注射筒１１内が完全に見えなくなることがない。そのため、注射筒１１内の薬液の減じる量がより視認しやすくなっており、薬液の投与速度を確認することが容易である。
【００３０】
また、注射ラベルは、図４に示すように、各ラベルシート１の上方および下方において、剥離紙２のミシン目２ｂを切り離して使用することも可能である。この場合、各ラベルシート１の使用の際は、分割部２ａよりラベルシート１の貼付部１ａ側の剥離紙２を剥がし、貼付部１ａの粘着層３を露出させて、図２（ａ）に示すのと同様にラベルシート１を貼付部１ａにより注射筒１１に貼り付ける。
【００３１】
これにより、前述と同様に、貼付部１ａと一体となった表示部１ｂにより注射筒１１内の薬液に関する注射情報を表示することができる。また、注射筒１１内の薬液の投与時には、図２（ｂ）に示すのと同様に、注射筒１１上に貼付部１ａを残したまま、表示部１ｂをミシン目１ｃから分割し、除去することで、注射筒１１内の薬液の減じる量を視認して、薬液の投与速度を確認することが可能となる。
【００３２】
なお、本実施形態における注射ラベルでは、図２に示すように各ラベルシート１の表示部１ｂ側の剥離紙２を剥がさずに使用しているが、この剥離紙２を剥がして使用することも可能である。但し、この場合、表示部１ｂの粘着層３は、粘着効果を弱める処理が施されたものとすることが望ましい。これにより、表示部１ｂまでもが注射筒１１に貼り付いてしまうことが防止されるので、注射筒１１内の薬液の投与時に表示部１ｂのみをミシン１ｃから分割して容易に除去することが可能となる。
【００３３】
また、各ラベルシート１は、通常のラベルシートと同様の白色や有色の紙やフィルム等により構成することが可能であるが、無色または有色で、透明または半透明のフィルム等により形成することも可能である。特に、貼付部１ａを透明または半透明とすることで、注射筒１１内の薬液の投与時に、注射筒１１上に残された貼付部１ａ以外の部分だけでなく、貼付部１ａを透視して注射筒１１内の薬液の減じる量を視認することが可能となるので好ましい。
【００３４】
また、貼付部１ａを透明または半透明とするために、各ラベルシート１の全体を透明または半透明の素材により形成した場合、表示部１ｂは白色等の下地色が印刷されたものとすることが望ましい。これにより、表示部１ｂに表示される注射情報が見やすくなる。
【産業上の利用可能性】
【００３５】
本発明の注射ラベルは、注射器の注射筒に貼り付け、注射筒内の薬液に関する注射情報を表示するラベルとして有用である。
【符号の説明】
【００３６】
１  ラベルシート
１ａ  貼付部
１ｂ  表示部
１ｃ  ミシン目
２  剥離紙
２ａ  分割部
２ｂ  ミシン目
３  粘着層
１０  注射器
１１  注射筒
【図１】
2013169419.tif 000003
【図２】
2013169419.tif 000004
【図３】
2013169419.tif 000005
【図４】
2013169419.tif 000006